(57)【要約】【課題】【解決手段】十字位置に第１〜第４スイッチ１４、１５、１２、１３が配備されたプリント基板１と、第１〜第４のスイッチ１４、１５、１２、１３の上にラバーシート２を介して配置された第１〜第４キートップ３１、３２、３３、３４と、第１〜第４キートップ３１、３２、３３、３４を覆って設置されたシーソー式操作釦５とを具え、シーソー式操作釦５には、第１〜第４キートップ３１、３２、３３、３４を押下するための第１〜第４押圧面が形成され、第３及び第４押圧面は、第１及び第２押圧面よりも後退させて形成されている。【選択図】　　　図２
2004127685.tif 000002
【特許請求の範囲】
【請求項１】
１本の直線上に所定の間隔で第１及び第２のスイッチ（１４）（１５）が配備されると共に前記直線とは直交する１本の直線上に前記間隔よりも大きな所定の間隔で第３及び第４のスイッチ（１２）（１３）が配備された基板（１）と、該基板（１）の第１乃至第４のスイッチ（１４）（１５）（１２）（１３）の上にそれぞれ弾性部を介して支持された第１乃至第４のキートップ（３１）（３２）（３３）（３４）と、前記第１乃至第４のキートップ（３１）（３２）（３３）（３４）を覆って設置されたシーソー式操作釦（５）とを具え、シーソー式操作釦（５）の操作によって何れか１つのキートップを押下して、該キートップの下方に位置する１つのスイッチの接点を閉じることが可能なキー入力装置において、
シーソー式操作釦（５）には、前記第１乃至第４のキートップ（３１）（３２）（３３）（３４）を押圧するための第１乃至第４の押圧面（５６）（５７）（５８）（５９）が形成され、第３及び第４の押圧面（５８）（５９）は、第１及び第２の押圧面（５６）（５７）よりも、キートップの被押圧面に対して相対的に後退させて形成されていることを特徴とするキー入力装置。
【請求項２】
基板（１）上には、第１乃至第４のスイッチ（１４）（１５）（１２）（１３）の中央位置に第５のスイッチ（１１）が配備され、該スイッチ（１１）の上には弾性部を介して第５のキートップ（３）が支持され、該キートップ（３）を覆って中央操作釦（６）が設置され、該中央操作釦（６）は、シーソー式操作釦（５）の中央部に開設された貫通孔（５１）に収容されて上方へ臨出している請求項１に記載のキー入力装置。
【請求項３】
前記弾性部はラバーシート（２）によって構成されている請求項１又は請求項２に記載のキー入力装置。
【発明の詳細な説明】
【０００１】
【発明の属する技術分野】
本発明は、携帯電話機などの電子機器に装備されるキー入力装置に関するものである。
【０００２】
【従来の技術】
従来、携帯電話機においては、複数のメタルドームスイッチが配備されたプリント基板上に、前後左右に揺動可能なシーソー式操作釦を配備して、該シーソー式操作釦の操作によって、４つのメタルドームスイッチの中の１つを選択的に押下することが可能となっている（例えば特許文献１、特許文献２参照）。
【０００３】
【特許文献１】
特開２００１−６７９８２公報
【特許文献２】
特開２００１−２９１４５５公報
【０００４】
【発明が解決しようとする課題】
しかしながら、従来のシーソー式操作釦を具えたキー入力装置においては、シーソー式操作釦を前後左右の何れかの方向に正確に操作すれば、１つのスイッチのみを選択的に押下ことが可能であるが、操作方向がずれると、押下せんとするスイッチに隣接するスイッチが先に押下されることとなって、目的とするキー入力を行なうことが出来ない。
【０００５】
特に、４つのスイッチがシーソー式操作釦の中心点から同じ距離に配置されておらず、例えば、前後に配置された第１及び第２のスイッチの間隔よりも、左右に配置された第３及び第４のスイッチの間隔の方が大きくなっているキー入力装置においては、第１又は第２のスイッチを押下せんとしてシーソー式操作釦を操作したとき、操作位置が第３又は第４のスイッチの方向にずれたとすると、シーソー式操作釦の中心点から第１又は第２のスイッチまでの距離よりも第３又は第４のスイッチまでの距離の方が大きいため、その距離の比に応じてシーソー式操作釦の変位が拡大され、第１又は第２のスイッチに対する変位量よりも第３又は第４のスイッチに対する変位量の方が大きくなる。
この結果、押下せんとする第１又は第２のスイッチよりも第３又は第４のスイッチの方が先に押下されることとなって、目的とするキー入力を行なうことが出来ない問題がある。
【０００６】
そこで本発明の目的は、上述の如きシーソー式操作釦の誤操作が発生する可能性の低いキー入力装置を提供することである。
【０００７】
【課題を解決する為の手段】
本発明に係るキー入力装置は、１本の直線上に所定の間隔で第１及び第２のスイッチ（１４）（１５）が配備されると共に前記直線とは直交する１本の直線上に前記間隔よりも大きな所定の間隔で第３及び第４のスイッチ（１２）（１３）が配備された基板（１）と、該基板（１）の第１乃至第４のスイッチ（１４）（１５）（１２）（１３）の上にそれぞれ弾性部を介して支持された第１乃至第４のキートップ（３１）（３２）（３３）（３４）と、前記第１乃至第４のキートップ（３１）（３２）（３３）（３４）を覆って設置されたシーソー式操作釦（５）とを具え、シーソー式操作釦（５）の操作によって何れか１つのキートップを押下して、該キートップの下方に位置する１つのスイッチの接点を閉じることが可能である。
ここで、シーソー式操作釦（５）には、前記第１乃至第４のキートップ（３１）（３２）（３３）（３４）を押圧するための第１乃至第４の押圧面（５６）（５７）（５８）（５９）が形成され、第３及び第４の押圧面（５８）（５９）は、第１及び第２の押圧面（５６）（５７）よりも、キートップの被押圧面に対して相対的に後退させて形成されている。
【０００８】
上記本発明のキー入力装置において、第１又は第２のスイッチ（１４）（１５）を押下せんとしてシーソー式操作釦（５）を操作したときに、操作位置が第３又は第４のスイッチ（１２）（１３）の方向にずれたとすると、シーソー式操作釦（５）の中心点から第１又は第２のスイッチ（１４）（１５）までの距離よりも第３又は第４のスイッチ（１２）（１３）までの距離の方が大きいため、その距離の比に応じてシーソー式操作釦（５）の変位が拡大され、第１又は第２のスイッチ（１４）（１５）に対する変位量よりも第３又は第４のスイッチ（１２）（１３）に対する変位量の方が大きくなる。しかし、シーソー式操作釦（５）の第３及び第４の押圧面（５８）（５９）は、第１及び第２の押圧面（５６）（５７）よりも、キートップの被押圧面に対して相対的に後退させて形成されているので、第１又は第２の押圧面（５６）（５７）が第３又は第４の押圧面（５８）（５９）よりも先にスイッチを押下することになる。
【０００９】
【発明の効果】
本発明に係るキー入力装置によれば、シーソー式操作釦の誤操作が発生する可能性は従来よりも低くなる。
【００１０】
【発明の実施の形態】
以下、本発明の実施の形態につき、図面に沿って具体的に説明する。
本実施例のキー入力装置は、携帯電話機のファンクションキーを構成するものであって、図２に示す如く、プリント基板（１）上には、複数のメタルドームスイッチ（１１）（１４）（１５）（１２）（１３）（１７）が設けられており、この中で、基板中央に配置された中央メタルドームスイッチ（１１）と、中央メタルドームスイッチ（１１）の周囲に配置された第１〜第４メタルドームスイッチ（１４）（１５）（１２）（１３）とによって、５接点式のファンクションキーの５接点が構成される。
ここで、第３メタルドームスイッチ（１２）と第４メタルドームスイッチ（１３）の間隔は、第１メタルドームスイッチ（１４）と第２メタルドームスイッチ（１５）の間隔よりも大きくなっている。
又、プリント基板（１）上には、複数箇所にＬＥＤ（１６）が配置されている。
【００１１】
プリント基板（１）の上方には、複数のキートップが取り付けられたラバーシート（２）を介して、複数の操作釦（６）（５）（４）が配備される、
ラバーシート（２）上の複数のキートップの中で、中央キートップ（３）が前記中央メタルドームスイッチ（１１）に対応しており、その周囲に配置された第１〜第４キートップ（３１）（３２）（３３）（３４）が前記第１〜第４メタルドームスイッチ（１４）（１５）（１２）（１３）に対応している。従って、第３キートップ（３３）と第４キートップ（３４）の間隔は、第１キートップ（３１）と第２キートップ（３２）の間隔よりも大きくなっている。
【００１２】
図１の如く、前記第１〜第４キートップ（３１）（３２）（３３）（３４）には、横長の直方体状を呈するシーソー式操作釦（５）が被せられ、中央キートップ（３）には中央操作釦（６）が被せられる。尚、シーソー式操作釦（５）の中央部には貫通孔（５１）が開設されて、該貫通孔（５１）の内部に中央操作釦（６）が収容され、その上面が貫通孔（５１）から露出している。
従って、中央操作釦（６）を操作することにより、中央メタルドームスイッチ（１１）を押下して、その接点を閉じることが出来る。又、シーソー式操作釦（５）を操作することにより、第１〜第４メタルドームスイッチ（１４）（１５）（１２）（１３）の中の何れかを押下して、その接点を閉じることが出来る。更に、シーソー式操作釦（５）の周囲に配置された１つの操作釦（４）を操作することにより、プリント基板（１）上の周囲に配置された１つのメタルドームスイッチ（１７）を押下して、その接点を閉じることが出来る。
【００１３】
シーソー式操作釦（５）には、図３に示す如く、裏面外周部に鍔部（５０）が形成されると共に、中央の貫通孔（５１）の周囲には、前記第１〜第４キートップ（３１）（３２）（３３）（３４）を収容すべき第１〜第４凹部（５２）（５３）（５４）（５５）が形成されている。
又、シーソー式操作釦（５）の第１〜第４凹部（５２）（５３）（５４）（５５）の開口縁には、それぞれ第１〜第４押圧面（５６）（５７）（５８）（５９）が形成されており、この中で第１押圧面（５６）と第２押圧面（５７）は、鍔部（５０）の裏面と同一面に揃えて形成されているが、第３押圧面（５８）と第４押圧面（５９）は、鍔部（５０）の裏面よりも僅かに、例えば０．１ｍｍ〜０．１５ｍｍだけ後退させて形成されている。
【００１４】
図４及び図５に示す如く、中央キートップ（３）は、本体部（３ａ）と鍔部（３ｂ）から構成され、該鍔部（３ｂ）が中央操作釦（６）によって押圧される様になっている。又、第１〜第４キートップ（３１）（３２）（３３）（３４）も同様に、それぞれ本体部（３１ａ）（３２ａ）（３３ａ）（３４ａ）と鍔部（３１ｂ）（３２ｂ）（３３ｂ）（３４ｂ）から構成され、該鍔部（３１ｂ）（３２ｂ）（３３ｂ）（３４ｂ）が、シーソー式操作釦（５）の第１〜第４押圧面（５６）（５７）（５８）（５９）によって押圧される様になっている。
【００１５】
ここで、図５に示す様に、シーソー式操作釦（５）の第１押圧面（５６）及び第２押圧面（５７）は、それぞれ第１キートップ（３１）及び第２キートップ（３２）の鍔部（３１ｂ）（３２ｂ）の裏面と接触することになる。
一方、図４に示す様に、シーソー式操作釦（５）の第３押圧面（５８）及び第４押圧面（５９）は、それぞれ第３キートップ（３３）及び第４キートップ（３４）の鍔部（３３ｂ）（３４ｂ）から後退することとなり、所定のギャップＧ（例えば０．１ｍｍ〜０．１５ｍｍ）が形成される。
【００１６】
従って、シーソー式操作釦（５）の操作によって図５に示す第１キートップ（３１）或いは第２キートップ（３２）を押圧した場合は、同時に第１メタルドームスイッチ（１４）或いは第２メタルドームスイッチ（１５）が押下されて、接点が閉じられることになる。
これに対し、シーソー式操作釦（５）の操作によって図４に示す第３キートップ（３３）或いは第４キートップ（３４）を押圧した場合は、ギャップＧに応じた僅かな遅れを伴って第３メタルドームスイッチ（１２）或いは第４メタルドームスイッチ（１３）が押下されて、接点が閉じられることになる。
【００１７】
シーソー式操作釦（５）の操作によって第１キートップ（３１）或いは第２キートップ（３２）を押圧せんとしたときに操作位置が第３キートップ（３３）或いは第４キートップ（３４）側にずれた場合、図４及び図５に示す如く、シーソー式操作釦（５）の中心点から第１キートップ（３１）又は第２キートップ（３２）までの距離Ｙよりも、シーソー式操作釦（５）の中心点から第３キートップ（３３）又は第４キートップ（３４）までの距離Ｘの方が大きいため、その距離の比に応じてシーソー式操作釦（５）の変位が拡大され、第１キートップ（３１）又は第２キートップ（３２）に対する変位量よりも第３キートップ（３３）又は第４キートップ（３４）に対する変位量の方が大きくなる。しかし、シーソー式操作釦（５）の第３押圧面（５８）及び第４押圧面（５９）は、第１押圧面（５６）及び第２押圧面（５７）よりも後退させて形成されているので、シーソー式操作釦（５）の第３押圧面（５８）又は第４押圧面（５９）が第３キートップ（３３）又は第４キートップ（３４）を押圧するのに僅かな遅れを伴うことになる。
【００１８】
この結果、シーソー式操作釦（５）の第１押圧面（５６）又は第２押圧面（５７）が、第３押圧面（５８）又は第４押圧面（５９）よりも先に第１キートップ（３１）又は第２キートップ（３２）を押圧し、これによって、第１メタルドームスイッチ（１４）又は第２メタルドームスイッチ（１５）が押下されて、接点が閉じられることになる。
【００１９】
本発明に係るキー入力装置によれば、シーソー式操作釦（５）の操作において第１キートップ（３１）又は第２キートップ（３２）を操作せんとしてその操作位置が第３キートップ（３３）又は第４キートップ（３４）側に多少ずれたとしても、上述の如く先に第１メタルドームスイッチ（１４）又は第２メタルドームスイッチ（１５）の接点が閉じることとなるので、シーソー式操作釦（５）の誤操作が発生する可能性は従来よりも低くなる。
【図面の簡単な説明】
【図１】本発明に係るキー入力装置の斜視図である。
【図２】該キー入力装置の分解斜視図である。
【図３】シーソー式操作釦を裏返した状態の斜視図である。
【図４】図１のＡ−Ａ線に沿う拡大断面図である。
【図５】図１のＢ−Ｂ線に沿う拡大断面図である。
【符号の説明】
（１）　プリント基板
（１４）　第１メタルドームスイッチ
（１５）　第２メタルドームスイッチ
（１２）　第３メタルドームスイッチ
（１３）　第４メタルドームスイッチ
（２）　ラバーシート
（３１）　第１キートップ
（３２）　第２キートップ
（３３）　第３キートップ
（３４）　第４キートップ
（５）　シーソー式操作釦
（５６）　第１押圧面
（５７）　第２押圧面
（５８）　第３押圧面
（５９）　第４押圧面
【図１】
2004127685.tif 000003
【図２】
2004127685.tif 000004
【図３】
2004127685.tif 000005
【図４】
2004127685.tif 000006
【図５】
2004127685.tif 000007